(57)【特許請求の範囲】
【請求項１】
上位交換機と遠隔加入者装置に収容された下位端末との間の伝送路異常を監視する空きＢ２ｃｈを使った伝送路監視方法において、
上位交換機及びデジタル回線終端装置においてＢ２ｃｈ側端末のフック状態を監視し、オンフック状態の場合にのみ、遠隔加入者装置に収容されたＩＳＤＮ回線に上位交換機から前記Ｂ２ｃｈにパイロットパターンを挿入し、デジタル回線終端装置でＢ２ｃｈを折り返し、折り返されたパイロットパターンを上位交換機でチェックすることにより伝送路の障害監視を行うとともに、上位交換機及びデジタル回線終端装置はＢ２ｃｈ側端末のオフフック時には当該Ｂ２ｃｈを開放することを特徴とする空きＢ２ｃｈを使った伝送路監視方法。
【請求項２】
上位交換機から遠隔加入者装置に加入者回路により収容されたアナログ回線のＢ２ｃｈにパイロットパターンを挿入し、加入者回路でＢ２ｃｈを折り返し、折り返されたパイロットパターンを上位交換機でチェックすることにより伝送路の障害監視を行うことを特徴とする請求項1記載の空きＢ２ｃｈを使った伝送路監視方法。
【請求項３】
上位交換機は、下位端末側からの申告により前記Ｂ２ｃｈに前記パイロットパターンを挿入することを特徴とする請求項１又は２記載の空きＢ２ｃｈを使った伝送路監視方法。
【請求項４】
上位交換機と遠隔加入者装置に収容された下位端末との間の伝送路異常を監視する空きＢ２ｃｈを使った伝送路監視方式において、
上位交換機及びデジタル回線終端装置においてＢ２ｃｈ側端末のフック状態を監視する手段と、オンフック状態の場合にのみ遠隔加入者装置に収容されたＩＳＤＮ回線に上位交換機から前記Ｂ２ｃｈにパイロットパターンを挿入する手段と、デジタル回線終端装置でＢ２ｃｈを折り返す手段と、折り返されたパイロットパターンを上位交換機でチェックする手段と、上位交換機及びデジタル回線終端装置はＢ２ｃｈ側端末のオフフック時には当該Ｂ２ｃｈを開放する手段とを備え、伝送路の障害監視を行うことを特徴とする空きＢ２ｃｈを使った伝送路監視方式。
【請求項５】
上位交換機から遠隔加入者装置に加入者回路により収容されたアナログ回線のＢ２ｃｈにパイロットパターンを挿入する手段と、加入者回路でＢ２ｃｈを折り返す手段と、折り返されパイロットパターンを上位交換機でチェックする手段とを備え、伝送路の障害監視を行うことを特徴とする空きＢ２ｃｈを使った請求項４記載の伝送路監視方式。
【請求項６】
上位交換機のＢ２ｃｈにパイロットパターンを挿入する手段は、下位端末側からの申告により前記パイロットパターンを挿入する手段を備えることを特徴とする請求項４又は５記載の空きＢ２ｃｈを使った伝送路監視方式。
【発明の詳細な説明】
【０００１】
【発明の属する技術分野】
本発明は、伝送路監視方法及び方式に関し、特に空きＢ２ｃｈを利用した伝送路監視方法及び方式に関する。
【０００２】
【従来の技術】
遠隔加入者装置と交換機とのインタフェースは１回線２Ｂ＋Ｄであり、アナログ加入者を収容した場合にはＢ２ｃｈは空き状態となるチャンネル構成が採用されている。また従来、多重化信号線の空き時間の利用システムとして、各タイムスロットの空き状態を監視するＤｃｈ信号監視部と、Ｂｃｈ信号制御部と、情報分配部と、送信情報を蓄積する情報蓄積部とを備え、Ｄｃｈ信号監視部が空き状態のタイムスロットを検出すると多重化信号線をＩＳＤＮ交換機から切り離し、Ｂｃｈ信号制御部は加入者端末からの送信情報の要求を受け付け、情報蓄積部は、情報蓄積部から加入者に提供する送信情報を読み出して下りＢｃｈを用いて分配するシステムが特開平１０−２７１２２２号公報に記載されている。
【０００３】
【発明が解決しようとする課題】
前述のように遠隔加入者装置と交換機とのインタフェースは１回線２Ｂ＋Ｄであり、遠隔加入者装置にＩＳＤＮ加入者を収容した場合にはＢ２ｃｈが空き状態となる時間が必ず存在し、また、アナログ加入者を収容した場合には空きＢ２ｃｈは伝送路上の無駄となるから、何れの場合にも伝送路の効率を低下させるチャンネル構成を採用するものであった。また、前記公報記載の空き時間の利用システムは局内装置と端末間での利用に限られるものであり、交換機と端末間の空き時間の有効利用や伝送路の監視等への空き時間の利用については考慮されていなかった。
【０００４】
（発明の目的）
本発明の目的は、空き回線を有効活用し伝送路の監視を可能としたＢ２ｃｈを使った伝送路監視方法及び方式を提供することにある。
【０００５】
本発明の他の目的は、障害箇所の推定を可能としたＢ２ｃｈを使った伝送路監視方法及び方式を提供することにある。
【０００６】
【課題を解決するための手段】
本発明の空きＢ２ｃｈを使った伝送路監視方法は、上位交換機（図１、２、４の１）と遠隔加入者装置に収容された下位端末（図１、２の４，５）との間の伝送路異常を監視する空きＢ２ｃｈを使った伝送路監視方法において、上位交換機から遠隔加入者装置ＲＴに収容されたアナログ回線のＢ２ｃｈにパイロットパターンを挿入し、加入者回路でＢ２ｃｈを折り返し、折り返されたパイロットパターンを上位交換機でチェックすることにより伝送路の障害監視を行うことを特徴とする。
【０００７】
前記発明において、上位交換機及びデジタル回線終端装置においてＢ２ｃｈ側端末のフック状態を監視し、オンフック状態の場合にのみ、遠隔加入者装置に収容されたＩＳＤＮ回線に上位交換機から前記Ｂ２ｃｈにパイロットパターンを挿入し、デジタル回線終端装置でＢ２ｃｈを折り返し、折り返されたパイロットパターンを上位交換機でチェックすることにより伝送路の障害監視を行うことを特徴とする。また、上位交換機及びデジタル回線終端装置はＢ２ｃｈ側端末のオフフック時には当該Ｂ２ｃｈを開放することを特徴とする。
【０００８】
また前記発明において、上位交換機は、下位端末側からの、例えば、専用の障害監視用チャンネルによる通常の遠隔加入者装置等の障害監視における何らかの異常検出時等の申告により前記Ｂ２ｃｈに前記パイロットパターンを挿入することを特徴とする。
【０００９】
本発明の空きＢ２ｃｈを使った伝送路監視方式は、上位交換機と遠隔加入者装置に収容された下位端末との間の伝送路異常を監視する空きＢ２ｃｈを使った伝送路監視方式において、上位交換機から遠隔加入者装置ＲＴに収容されたアナログ回線のＢ２ｃｈにパイロットパターンを挿入する手段と、加入者回路でＢ２ｃｈを折り返す手段と、折り返されパイロットパターンを上位交換機でチェックする手段とを備え、伝送路の障害監視を行うことを特徴とする。
【００１０】
前記発明において、上位交換機及びデジタル回線終端装置においてＢ２ｃｈ側端末のフック状態を監視する手段と、オンフック状態の場合にのみ遠隔加入者装置に収容されたＩＳＤＮ回線に上位交換機から前記Ｂ２ｃｈにパイロットパターンを挿入する手段と、デジタル回線終端装置でＢ２ｃｈを折り返す手段と、折り返されたパイロットパターンを上位交換機でチェックする手段とを備え、伝送路の障害監視を行うことを特徴とする。また、上位交換機及びデジタル回線終端装置はＢ２ｃｈ側端末のオフフック時には当該Ｂ２ｃｈを開放する手段を備えることを特徴とする。
【００１１】
また前記発明において、上位交換機のＢ２ｃｈにパイロットパターンを挿入する手段は、下位端末側からの、例えば、専用の障害監視用チャンネルによる通常の遠隔加入者装置等の障害監視における何らかの異常検出時等の申告により前記パイロットパターンを挿入する手段を備えることを特徴とする。
【００１２】
（作用）
遠隔加入者装置（Ｒｅｍｏｔｅ  Ｔｅｒｍｉｎａｌ：以下「ＲＴ」ともいう）において、上位交換機との伝送路異常および下位端末との伝送路異常を空きＢｃｈを使って監視する。
【００１３】
遠隔加入者装置ＲＴにはアナログ回線又はＩＳＤＮ回線が収容される。アナログ回線はＢ１ｃｈしか使用されないので常時Ｂ２ｃｈが空きとなっており、ここに上位交換機からパイロットパターンを挿入する。ＲＴ装置内の加入者回路（Ｓｕｂｓｃｒｉｂｅｒ  Ｌｉｎｅ  Ｉｎｔｅｒｆａｃｅ  Ｃｉｒｃｕｉｔ：以下「ＳＬＩＣ」ともいう）にてＢ２ｃｈを折り返し、上位交換機側では折り返されたパイロットパターンをチェックして伝送路等の障害監視を行う。
【００１４】
また、ＩＳＤＮ回線については上位交換機にてＢ２ｃｈ側端末のオン／オフフックの状態を監視し、Ｂ２ｃｈがオンフック状態の場合にのみＢ２ｃｈにパイロットパターンを挿入する。デジタル回線終端装置（Ｄｉｇｉｔａｌ  Ｓｅｒｖｉｃｅ  Ｕｎｉｔ：以下「ＤＳＵ」ともいう）においてもＢ２ｃｈ側端末のオン／オフフックの状態を監視し、オンフック状態の場合にのみＢ２ｃｈを折り返す。上位交換機では折り返されたパイロットパターンをチェックして伝送路の障害監視を行う。ただし、Ｂ２ｃｈがオフフックとなった場合は直ちにＢ２ｃｈを開放する。
【００１５】
空きＢｃｈを有効利用することができ、従来障害監視用に割り付けられていたタイムスロットを回線用に使用することができるので伝送路設備の有効活用が可能となる。
【００１６】
【発明の実施の形態】
次に、本発明の空きＢ２ｃｈを使った伝送路監視方法及び方式の実施の形態を説明する。
【００１７】
（構成の説明）
図１は、本実施の形態の構成を示す図である。交換機１と、交換機１に光伝送路２により接続された遠隔加入者装置ＲＴ３と、遠隔加入者装置ＲＴ３に収容されたアナログ加入者４及びＩＳＤＮ加入者５とから構成される。遠隔加入者装置ＲＴ３は、アナログ回線／ＩＳＤＮ回線データの多重及び分離を行う多重／分離部９と、交換機１との光インタフェースとＲＴ３内電気信号部との変換を行う光／電気変換部１０とで構成されている。
【００１８】
アナログ加入者４は、加入者回路ＳＬＩＣ６により遠隔加入者装置ＲＴ３に収容され、ＩＳＤＮ加入者５はデジタル回線終端装置ＤＳＵ７により終端され、局内回線終端回路（Ｏｆｆｉｃｅ  Ｃｈａｎｎｅｌ  Ｕｎｉｔ：以下「ＯＣＵ」ともいう）８により遠隔加入者装置ＲＴ３に収容されている。
【００１９】
（動作の説明）
以下、本発明の一実施の形態を図１〜５を参照して説明する。最初にアナログ回線における監視動作ついて説明する。
【００２０】
図２は、本実施の形態の構成及びアナログ回線の監視経路等を示す図である。アナログ回線は通話にＢ１ｃｈのみを使用する為、Ｂ２ｃｈは常時空きとなっている。このＢ２ｃｈに交換機１から５５／ＡＡのパイロットパターンを挿入することにより伝送路の監視を行う。
【００２１】
交換機１から光伝送路２を通ってＲＴ３に送信されてきたＢ２ｃｈのパイロットパターンは、光／電気変換部１０により電気信号に変換され、多重／分離部９により各ＳＬＩＣへ分離される。各ＳＬＩＣではＢ２ｃｈの信号がそのまま折り返され、多重／分離部９へ送られる。多重／分離部９では各ＳＬＩＣからのＢ２ｃｈの信号を多重し、光／電気変換部１０で光に変換され交換機１へ送信される。交換機１では受信したＳＬＩＣからの折り返しＢ２ｃｈのデータを読みとり、５５／ＡＡのパイロットパターンであるか否か、エラーか否かのチェックを行う。
【００２２】
図３は、前述のアナログ回線のパイロットパターンの伝送経路及びチェック動作を示す図である。交換機１からＢ２ｃｈにパイロットパターンを挿入し、ＲＴ３を介してＳＬＩＣ４に送信し、ＳＬＩＣ４で折り返され、ＲＴ３を介して交換機１に戻ってきた信号をチェックすることにより交換機１−ＲＴ３−ＳＬＩＣ４の経路の監視を行う。
【００２３】
交換機１における前述のチェックの結果、各ＳＬＩＣからの全てのパイロットパターンがエラーとなっていた場合、交換機１から多重／分離部９までの伝送路または装置で障害が起きていると考えられる。また、ある特定のＳＬＩＣからのパイロットパターンのみがエラーとなっていれば、多重／分離部９から当該ＳＬＩＣまでの伝送路又はＳＬＩＣそのものに障害が起きていると推定することができる。
【００２４】
次に、本実施の形態におけるＩＳＤＮ回線における監視動作について説明する。
【００２５】
図４は、本実施の形態の構成及びＩＳＤＮ回線の監視経路等を示す図である。ＩＳＤＮ回線では交換機１とデジタル回線終端装置ＤＳＵ７においてＢ２ｃｈ端末のオン／オフフックの状態を常に監視しておき、オンフック状態である場合にパイロットパターンの挿入及びチェックを行う。
【００２６】
ＤＳＵはＢ２ｃｈ端末のオンフック状態を検出するとＢ２ｃｈ折り返しモードへ移行する。また、交換機１はＩＳＤＮ回線からのステータス信号（以下「ＳＴ」ともいう）を常時モニタし、Ｂ２ｃｈ端末のオンフックを検出すると５５／ＡＡのパイロットパターンをＢ２ｃｈへ挿入する。交換機１にて挿入されたパイロットパターンは、ＲＴ３を経てＤＳＵで折り返され交換機１へ戻ってくる。交換機１ではＤＳＵから受信した折り返しＢ２ｃｈのデータを読みとり、５５／ＡＡのパイロットパタ―ンであるか否か、エラーか否かのチェックを行う。
【００２７】
ＩＳＤＮ回線にパイロットパターンを送出中、Ｂ２ｃｈ端末がオフフック状態となった場合、交換機１およびＤＳＵは、それぞれ直ちにパイロットパターンの送出及び折り返し動作を解除し、Ｂ２ｃｈが正常に通信できるようにＢ２ｃｈを開放する。つまり、交換機１は空きＢ２ｃｈを使った伝送路監視を行っている最中もＳＴ信号を常時モニタし、オフフック状態が検出されたらすぐにパイロットパターンの挿入及び監視を解除する。同様にＤＳＵ７はＢ２ｃｈ折り返しモード中も端末の状態を監視し、オフフック状態が検出されたらすぐにＢ２ｃｈスルーへモードの切替（Ｂ２ｃｈ開放）を行う。Ｂ２ｃｈ端末はこの後、正常に通信を行うことができる。
【００２８】
図５は、前述のＩＳＤＮ回線のパイロットパターンの伝送経路及びチェック動作を示す図である。Ｂ２ｃｈ端末がオンフック時に、ＤＳＵ７はＢ２ｃｈ折り返しモードに設定し、交換機１からＢ２ｃｈにパイロットパターンを挿入し、ＲＴ３、ＯＣＵ８を介してＤＳＵ７に送信し、ＤＳＵ７で折り返され、ＯＣＵ８、ＲＴ３を介して交換機１に戻ってきたパイロットパターンをチェックすることにより、交換機１−ＲＴ３−ＯＣＵ８−ＤＳＵ７の経路の監視を行う。Ｂ２ｃｈ端末がオフフック時には、ＤＳＵ７は通常モードとなり交換機１はＢ２ｃｈを通信に開放する。
【００２９】
交換機１における前述のチェックの結果、各ＤＳＵからの全てのパイロットパターンがエラーとなっていた場合、交換機１から多重／分離部９までの伝送路または装置で障害が起きていると考えられる。また、ある特定のＤＳＵからのパイロットパターンのみがエラーとなっていれば多重／分離部９から当該ＤＳＵまでの伝送路、局内回線終端回路ＯＣＵ又はデジタル回線終端装置ＤＳＵで障害が起きていると推定することができる。
【００３０】
（他の実施の形態）
以上の実施の形態では交換機１からアナログ回線及びＩＳＤＮ回線の伝送路監視を定期的又は必要に応じて行うようにした例を示したが、伝送路の回線チャンネルに障害監視用のチャンネルが用意できる場合は、本発明により障害箇所の切り分けを行うことが可能である。
【００３１】
図６及び図７は、障害監視用のチャンネルを使用して障害箇所の切り分けを可能とした本発明の他の実施の形態を示す図である。
【００３２】
障害監視用のチャンネルを伝送路上に用意できる場合は、通常はそれを使い遠隔加入者装置の障害監視を行う。加入者から何らかの異常が検出された等により交換機への障害監視の申告があった場合に空きＢ２ｃｈを使った障害箇所の切り分けを行う。
【００３３】
図６に示すように、ある特定のアナログ加入者Ａから障害監視の申告があった場合、交換機Ｃは申告加入者の空きＢ２ｃｈを使いパイロットパターンを送出する。アナログ端末Ａがオンフック状態であればパイロットパターンがＳＬＩＣで折り返されるので、交換機Ｃにてパイロットパターンのチェック▲１▼を行う。次に申告のあった加入者とは別のアナログ加入者Ｂの空きＢ２ｃｈを使い同様にパイロットパターンのチェック▲２▼を行う。これら２回線のパイロットパターンのチェック結果により、表１に基づいて特定ＳＬＩＣが障害なのか、伝送路などの共通部分が障害なのか等の障害箇所を推定することができる。
【００３４】
【表１】
0003567978.tif 000002
つまり、チエック▲１▼が異常でチエック▲２▼が正常の場合はＳＬＩＣの異常、チエック▲１▼及び▲２▼が何れも異常の場合は交換機−ＲＴ内における異常、チエック▲１▼及び▲２▼が何れも正常の場合は加入者ケーブル−加入者端末における異常と推定する。
【００３５】
図７に示すように、ある特定のＩＳＤＮ加入者Ｄから障害監視の申告があった場合、交換機Ｃは申告加入者のＳＴ信号によりＢ２ｃｈ端末のオン／オフフック状態を監視し、オンフック状態が検出されたらＢ２ｃｈを使いパイロットパターンを送出する。Ｂ２ｃｈのパイロットパターンはＤＳＵで折り返されるので、交換機Ｃにてパイロットパターンのチェックを行う。次に申告のあった加入者とは別のアナログ加入者Ｂの空きＢ２ｃｈを使い同様にパイロットパターンのチェックを行う。これら２回線のパイロットパターンのチェック結果により、表２に基づいて障害箇所を推定することができる。
【００３６】
【表２】
0003567978.tif 000003
つまり、チエック▲１▼が異常でチエック▲２▼が正常の場合はＯＣＵ−ＤＳＵにおける異常、チエック▲１▼及び▲２▼が何れも異常の場合は交換機−ＲＴ内における異常、チエック▲１▼及び▲２▼が何れも正常の場合は加入者ケーブル−加入者端末における異常と推定する。
【００３７】
【効果の説明】
本発明は以上説明したとおり、空きＢ２ｃｈを使って伝送路の監視を行うことで回線チャンネルの有効活用を図ることができる。
【００３８】
また、上位交換機及び加入者間の障害等の監視に、ＨＷ監視用のチャンネル等を用意する必要がなく、また、従来使用している監視用チャンネルを通信用に使用することが可能である。
【００３９】
更に、加入者端末側からの申告により当該加入者端末側の監視とその他の加入者端末の監視により、障害箇所の特定を行うことも可能である。
【図面の簡単な説明】
【図１】本発明の空きＢ２ｃｈを使った伝送路監視方法及び方式の一実施の形態を示す図である。
【図２】本実施の形態の構成及びアナログ回線の監視経路等を示す図である。
【図３】アナログ回線のパイロットパターンの伝送経路及びチェック動作を示す図である。
【図４】本実施の形態の構成及びＩＳＤＮ回線の監視経路等を示す図である。
【図５】ＩＳＤＮ回線のパイロットパターンの伝送経路及びチェック動作を示す図である。
【図６】本発明の空きＢ２ｃｈを使った伝送路監視方法及び方式の他の実施の形態を示す図である。
【図７】本発明の空きＢ２ｃｈを使った伝送路監視方法及び方式の他の実施の形態を示す図である。
【符号の説明】
１  交換機
２  光伝送路
３  遠隔加入者装置（ＲＴ）
４  アナログ加入者
５  ＩＳＤＮ加入者
６  加入者回路（ＳＬＩＣ）
７  デジタル回線終端装置（ＤＳＵ）
８  局内回線終端装置（ＯＣＵ）
９  多重／分離部
１０  光／電気変換部
【図１】
0003567978.tif 000004
【図２】
0003567978.tif 000005
【図３】
0003567978.tif 000006
【図４】
0003567978.tif 000007
【図５】
0003567978.tif 000008
【図６】
0003567978.tif 000009
【図７】
0003567978.tif 000010